(57)【要約】【課題】  一覧表示された複数の分割動画の任意の動画の結合、分割、そのダイジェスト動画の生成を簡単かつ効率的に行い得る動画処理方法、装置およびプログラムを提供する。【解決手段】  一覧表示された複数の動画を選択的に指定し、この指定された動画を複数の動画に分割し分割動画１０５を作成する。また一覧表示された複数の分割動画１０５のうち任意の分割動画１１をマウス押下で掴んでドラッグし、結合先の別の分割動画１０の上に移動し、マウスを離すことにより結合先の分割動画１０に対してマウスで掴んだ分割動画１１を結合する。同様に指定した任意の動画を複数の動画に分割し、あるいは動画を所定の順番で統合してダイジェスト動画を生成する。【選択図】      図５
2005086218.tif 000002
【特許請求の範囲】
【請求項１】
一覧表示された複数の動画のうちの任意の動画同士を結合する動画処理方法であって、
前記一覧表示された複数の動画のうち、任意の動画を第１の動画として指定し、
この第１の動画の指定後に前記複数の動画のうちの第１の動画とは別の任意の動画を第２の動画として指定し、
この第２の動画に前記第１の動画を結合する
ことを特徴とする動画処理方法。
【請求項２】
一覧表示された複数の動画のうちの任意の動画同士を結合する動画処理方法であって、
前記一覧表示された複数の動画のうち、任意の動画を第１の動画として検出し、
このマウス押下で掴まれた第１の動画のドラッグによる移動を監視してマウスが離された位置を検出し、
このマウスの離された位置に前記複数の動画のうちの前記第１の動画とは別の任意の動画が存在するか否かを検出し、
前記別の任意の動画が存在する場合、該動画を第２の動画として検出し、この第２の動画に前記マウス押下で掴まれた第１の動画を結合する
ことを特徴とする動画処理方法。
【請求項３】
一覧表示された複数の動画のうちの任意の動画同士を結合する動画処理方法であって、
前記一覧表示された複数の動画のうち、任意の動画を第１の動画として指定し、
この指定された第１の動画に隣接している動画のうち所定の装置パラメータに従った側に隣り合っている動画を第２の動画として検出し、
この第２の動画に第１の動画に結合する
ことを特徴とする動画処理方法。
【請求項４】
前記第１の動画と前記第２の動画の結合は、所定の装置パラメータに従って第１の動画の後に第２の動画を結合するかまたは第２の動画の後に第１の動画を結合することを特徴とする請求項１乃至３のいずれか１項に記載の動画処理方法。
【請求項５】
前記動画の結合は、クライアント端末のブラウザ上で行われることを特徴とする請求項１乃至４のいずれか１項に記載の動画処理方法。
【請求項６】
一覧表示された複数の動画のうちの任意の動画を分割する動画処理方法であって、
前記一覧表示された複数の動画のうち、任意の動画を選択的に指定し、
この指定された任意の動画を複数の動画に分割することを特徴とする
動画処理方法。
【請求項７】
前記分割処理は、
前記任意の動画が所定のマウス操作で選択的に指定されると、該任意の動画の全再生時間長に対応する全時間長を有する直線状のスライダバーおよび該スライダバー上の所定の時間位置に基本区切りバーを表示し、
前記スライダバーの下方に基本区切りバーの時間位置で前記任意の動画を分割した各分割動画を基本区切りバーで分割された各時間帯に対応して表示し、
スライダバーの上方に基本区切りバーの時間位置の直前直後の各静止画を表示し、
所定の決定処理に応じて前記複数の動画のうち、前記任意の動画の位置に前記各分割動画を挿入し、この各分割動画を含んで複数の動画を再構成する
ことを特徴とする請求項６記載の動画処理方法。
【請求項８】
前記基本区切りバーを所定のマウス操作でスライダバー上の任意の時間位置に移動させ、
この移動した基本区切りバーの前記任意の時間位置で前記任意の動画を分割した各分割動画を基本区切りバーで分割された各時間帯に対応してスライダバーの下方に表示し、
スライダバーの上方に基本区切りバーの任意の時間位置の直前直後の各静止画を表示し、
所定の決定処理に応じて前記複数の動画のうち、前記任意の動画の位置に前記各分割動画を挿入し、この各分割動画を含んで複数の動画を再構成する
ことを特徴とする請求項７記載の動画処理方法。
【請求項９】
前記スライダバー上の１つ以上任意の数の時間位置における所定のマウス操作により前記１つ以上任意の数の時間位置のそれぞれに対して１つ以上任意の数の別の区切りバーを前記基本区切りバーに加えて表示し、
前記１つ以上任意の数の別の区切りバーと基本区切りバーのそれぞれの時間位置で前記任意の動画を分割した各分割動画をそれぞれの区切りバーで分割された各時間帯にそれぞれ対応してスライダバーの下方に表示する
ことを特徴とする請求項７または８記載の動画処理方法。
【請求項１０】
別の区切りバーに対して所定のマウス操作を行うことにより、前記基本区切りバーを別の区切りバーに切り替え、当該所定のマウス操作された別の区切りバーを基本区切りバーに切り替え、前記切り替えられて生成された別の区切りバーの時間位置の直前直後の各静止画を表示することを特徴とする請求項９記載の動画処理方法。
【請求項１１】
前記別の区切りバーを所定のマウス操作でスライダバー上の任意の時間位置に移動させ、
この移動した別の区切りバーの前記任意の時間位置で前記任意の動画を分割した各分割動画を該別の区切りバーで分割された各時間帯に対応してスライダバーの下方に表示し、
所定の決定処理に応じて前記複数の動画のうち、前記任意の動画の位置に前記各分割動画を挿入し、該各分割動画を含んで複数の動画を再構成する
ことを特徴とする請求項９または１０記載の動画処理方法。
【請求項１２】
一覧表示された複数の動画のダィジェスト動画を生成する動画処理方法であって、
前記一覧表示された複数の動画のうちダイジェスト動画として適切な１つ以上複数の動画を選択的に指定し、
この指定された動画を所定の順番または指定された順番で統合してダイジェスト動画を生成する
ことを特徴とする動画処理方法。
【請求項１３】
前記ダイジェスト動画として適切な１つ以上複数の動画の選択的指定処理は、前記一覧表示された複数の動画のそれぞれに対応して設けられたチェックボックスを表示し、
前記複数の動画のうちダイジェスト動画として適切な１つ以上複数の動画に対応するチェックボックスにチェックマークを設定することにより行われ、
前記ダイジェスト動画の生成処理は、前記チェックマークの設定された１つ以上複数の動画を所定の順番または指定された順番で統合してダイジェスト動画を生成する
ことを特徴とする請求項１２記載の動画処理方法。
【請求項１４】
一覧表示された複数の動画のうちの任意の動画同士を結合する動画処理装置であって、
前記一覧表示された複数の動画のうち、任意の動画を第１の動画として指定する第１動画指定手段と、
この第１の動画の指定後に所定のマウス操作で前記複数の動画のうちの第１の動画とは別の任意の動画を第２の動画として指定する第２動画指定手段と、
この第２の動画に前記第１の動画を結合する結合手段と
を有することを特徴とする動画処理装置。
【請求項１５】
一覧表示された複数の動画のうちの任意の動画同士を結合する動画処理装置であって、
前記一覧表示された複数の動画のうち、マウス押下で掴まれた任意の動画を第１の動画として検出する第１動画検出手段と、
このマウス押下で掴まれた第１の動画のドラッグによる移動を監視してマウスが離された位置を検出する位置横出手段と、
このマウスの離された位置に前記複数の動画のうちの前記第１の動画とは別の任意の動画が存在するか否かを検出する動画存在検出手段と、
前記別の任意の動画が存在する場合、該動画を第２の動画として検出し、この第２の動画に前記マウス押下で掴まれた第１の動画を結合する結合手段と
を有することを特徴とする動画処理装置。
【請求項１６】
一覧表示された複数の動画のうちの任意の動画を分割する動画処理方法であって、
前記一覧表示された複数の動画のうち、任意の動画を選択的に指定する動画指定手段と、
この指定された任意の動画を複数の動画に分割する分割手段と
を有することを特徴とする動画処理装置。
【請求項１７】
前記分割手段は、
前記任意の動画が所定のマウス操作で選択的に指定されると、該任意の動画の全再生時間長に対応する全時間長を有する直線状のスライダバーおよび該スライダバー上の所定の時間位置に基本区切りバーを表示するスライダバー表示手段と、
前記スライダバーの下方に基本区切りバーの時間位置で前記任意の動画を分割した各分割動画を基本区切りバーで分割された各時間帯に対応して表示する分割動画表示手段と、
スライダバーの上方に基本区切りバーの時間位置の直前直後の各静止画を表示する静止画表示手段と、
所定の決定処理に応じて前記複数の動画のうち、前記任意の動画の位置に前記各分割動画を挿入し、この各分割動画を含んで複数の動画を再構成する動画再構成手段と
を有することを特徴とする請求項１６記載の動画処理装置。
【請求項１８】
前記基本区切りバーを所定のマウス操作でスライダバー上の任意の時間位置に移動させる区切りバー移動手段と、
この移動した基本区切りバーの前記任意の時間位置で前記任意の動画を分割した各分割動画を基本区切りバーで分割された各時間帯に対応してスライダバーの下方に表示する移動後分割動画表示手段と、
スライダバーの上方に基本区切りバーの任意の時間位置の直前直後の各静止画を表示する移動後静止画表示手段と、
所定の決定処理に応じて前記複数の動画のうち、前記任意の動画の位置に前記各分割動画を挿入し、この各分割動画を含んで複数の動画を再構成する移動後動画再構成手段と
を有することを特徴とする請求項１７記載の動画処理装置。
【請求項１９】
一覧表示された複数の動画のダイジェスト動画を生成する動画処理装置であって、
前記一覧表示された複数の動画のうちダイジェスト動画として適切な１つ以上複数の動画を選択的に指定する動画指定手段と、
この指定された動画を所定の順番または指定された順番で統合してダイジェスト動画を生成するダイジェスト動画生成手段と
を有することを特徴とする動画処理装置。
【請求項２０】
請求項１乃至１３のいずれか１項に記載の動画処理方法をコンピュータに実行させることを特徴とするコンピュータ実行可能な動画処理プログラム。
【発明の詳細な説明】
【技術分野】
【０００１】
本発明は、一覧表示された複数の動画の任意の動画を結合したり、分割したり、そのダイジェスト動画を生成する動画処理方法、装置およびプログラムに関する。
【背景技術】
【０００２】
従来、図２９に示すように、元動画１０３をシーン毎に複数の分割動画１０５に自動的に分割し、この複数の分割動画１０５をクライアント端末のディスプレイ３ａに一覧表示するとともに、また検索インデックス用の文字列を含むテキスト文章１０１もクライアント端末のディスプレイ３ａに表示し、この表示されたテキスト文章１０１の中の１つの文字列をマウス操作により選択して反転表示するとともに、この選択された文字列に対して関係付けたい１つの分割動画を複数の分割動画１０５の中からマウス操作で選択し、この選択した分割動画をマウス押下で掴んでドラッグして前記選択した文字列の所まで移動してからマウスを離すことにより前記選択した文字列に対して前記選択した分割動画を関係付け、この文字列と分割動画の関係付けを文字列と分割動画識別情報との対応付けによる動画用の検索インデックスとしてデータベースに登録するとともに、また前記選択した文字列に対して前記分割動画を確認するためのハイパーリンクを設定するようにするものが提案されている（例えば、特許文献１参照）。
【０００３】
また、上述したようにデータベースに登録された検索インデックスを利用して分割動画を効率的に検索する動画検索装置も従来提案されている（例えば、特許文献２参照）。
【０００４】
上述した検索インデックスの生成では、元動画をシーン毎に複数の分割動画１０５に自動的に分割しているため、ユーザの意図していない所で分割されてしまうことがあり、このように意図しない所で分割されてしまった分割動画をユーザが好ましいと思う意味のある分割動画に編集するために複数の分割動画を結合したり、分割することが必要である。
【０００５】
このような動画の編集技術として、従来、図３０に示すように、１つの時間軸に沿って並べられたフィルムを見ながら編集するフィルムストリップ式と、図３１に示すように、クリップをつなぎ合わせていくストーリーボード式とがある。フィルムストリップ式は、常に動画の時間を計算しながら編集できるが、全体像を把握しにくい。また、ストーリーボード式は、動画をマウスでストーリーボードという枠にドラッグするという単純な操作で動画の合成を行うことができるが、時間単位で細かく編集するという操作ができない。なお、いずれの方式もアプリケーションソフトウェアであり、ブラウザ上で動画の合成を行う機能を備えていない。
【０００６】
また、上記従来技術では、元動画または複数の分割動画をコンパクトにまとめて編集したダイジェスト動画の生成については言及していないが、ダイジェスト動画を生成し、このダイジェスト動画を検索などに利用することにより、所望の動画を効率的かつ適確に検索することが可能となる。
【０００７】
このようなダイジェスト動画の生成には、高機能な編集ツールや動画に関する高度な知識が必要であり、特にシーン毎に重要度を付与する作業において重要な動画のシーンを評価する作業やシーンに対するキーワードを付与する作業は目視による多くの時間が必要であり、作成に大きな稼動を必要としている。
【特許文献１】特願２００２−２８７２４０号
【特許文献２】特願２００２−２８７５５４号
【発明の開示】
【発明が解決しようとする課題】
【０００８】
上述した従来技術では、元動画から複数の分割動画の生成は、自動的に行っているため、使用者の意図していない所で分割されてしまうという問題があり、意図しない所で分割されてしまった分割動画をユーザが好ましいと思う意味のある分割動画に編集するために複数の分割動画を結合したり、分割することが必要である。
【０００９】
また、従来技術では、複数の分割動画をコンパクトにまとめて編集したダイジェスト動画の生成には、高機能な編集ツールや動画に関する高度な知識が必要であり、特にシーン毎に重要度を付与する作業において重要な動画のシーンを評価する作業やシーンに対するキーワードを付与する作業は目視による多くの時間と労力が必要であるという問題がある。
【００１０】
本発明は、上記に鑑みてなされたもので、その目的とするところは、一覧表示された複数の分割動画の任意の動画の結合、分割、そのダイジェスト動画の生成を簡単かつ効率的に行い得る動画処理方法、装置およびプログラムを提供することにある。
【課題を解決するための手段】
【００１１】
上記目的を達成するため、請求項１記載の本発明は、一覧表示された複数の動画のうちの任意の動画同士を結合する動画処理方法であって、前記一覧表示された複数の動画のうち、任意の動画を第１の動画として指定し、この第１の動画の指定後に前記複数の動画のうちの第１の動画とは別の任意の動画を第２の動画として指定し、この第２の動画に前記第１の動画を結合することを要旨とする。
【００１２】
請求項１記載の本発明にあっては、一覧表示された複数の動画のうち、任意の動画を所定のマウス操作で第１の動画として指定し、それから所定のマウス操作で第１の動画とは別の任意の動画を第２の動画として指定し、この第２の動画に前記第１の動画を結合するため、動画の結合をマウス操作により極めて簡単に行うことができ、従来、自動分割により意図しない所で分割されてしまった分割動画をユーザが好ましいと思う意味のある分割動画に簡単に編集することができる。
【００１３】
また、請求項２記載の本発明は、一覧表示された複数の動画のうちの任意の動画同士を結合する動画処理方法であって、前記一覧表示された複数の動画のうち、マウス押下で掴まれた任意の動画を第１の動画として検出し、このマウス押下で掴まれた第１の動画のドラッグによる移動を監視してマウスが離された位置を検出し、このマウスの離された位置に前記複数の動画のうちの前記第１の動画とは別の任意の動画が存在するか否かを検出し、前記別の任意の動画が存在する場合、該動画を第２の動画として検出し、この第２の動画に前記マウス押下で掴まれた第１の動画を結合することを要旨とする。
【００１４】
請求項２記載の本発明にあっては、複数の動画のうち、マウス押下で掴まれた任意の動画を第１の動画として検出し、この第１の動画のドラッグによる移動を監視してマウスが離された位置を検出し、この位置に存在する別の任意の動画を第２の動画として検出し、第２の動画に第１の動画を結合するため、動画の結合をマウス操作により極めて簡単に行うことができ、従来、自動分割により意図しない所で分割されてしまった分割動画をユーザが好ましいと思う意味のある分割動画に簡単に編集することができる。
【００１５】
更に、請求項３記載の本発明は、一覧表示された複数の動画のうちの任意の動画同士を結合する動画処理方法であって、前記一覧表示された複数の動画のうち、任意の動画を第１の動画として指定し、この指定された第１の動画に隣接している動画のうち所定の装置パラメータに従った側に隣り合っている動画を第２の動画として検出し、この第２の動画に第１の動画に結合することを要旨とする。
【００１６】
請求項３記載の本発明にあっては、複数の動画のうち、所定のマウス操作で第１の動画を指定し、この第１の動画に隣接している動画のうち所定の装置パラメータに従った側に隣り合っている動画を第２の動画として検出し、この第２の動画に第１の動画に結合するため、動画の結合をマウス操作により極めて簡単に行うことができ、従来、自動分割により意図しない所で分割されてしまった分割動画をユーザが好ましいと思う意味のある分割動画に簡単に編集することができる。
【００１７】
請求項４記載の本発明は、請求項１乃至３のいずれか１項に記載の発明において、前記第１の動画と前記第２の動画の結合が、所定の装置パラメータに従って第１の動画の後に第２の動画を結合するかまたは第２の動画の後に第１の動画を結合することを要旨とする。
【００１８】
また、請求項５記載の本発明は、請求項１乃至３のいずれか１項に記載の発明において、前記動画の結合が、クライアント端末のブラウザ上で行われることを要旨とする。
【００１９】
更に、請求項６記載の本発明は、一覧表示された複数の動画のうちの任意の動画を分割する動画処理方法であって、前記一覧表示された複数の動画のうち、任意の動画を選択的に指定し、この指定された任意の動画を複数の動画に分割することを要旨とする。
【００２０】
請求項６記載の本発明にあっては、一覧表示された複数の動画のうち、任意の動画を所定のマウス操作で選択的に指定し、この指定された任意の動画を複数の動画に分割するため、動画の分割をマウス操作により極めて簡単に行うことができ、従来、自動分割により意図しない所で分割されてしまった分割動画をユーザが好ましいと思う意味のある分割動画に簡単に編集することができる。
【００２１】
請求項７記載の本発明は、請求項６記載の発明において、前記分割処理が、前記任意の動画が所定のマウス操作で選択的に指定されると、該任意の動画の全再生時間長に対応する全時間長を有する直線状のスライダバーおよび該スライダバー上の所定の時間位置に基本区切りバーを表示し、前記スライダバーの下方に基本区切りバーの時間位置で前記任意の動画を分割した各分割動画を基本区切りバーで分割された各時間帯に対応して表示し、スライダバーの上方に基本区切りバーの時間位置の直前直後の各静止画を表示し、所定の決定処理に応じて前記複数の動画のうち、前記任意の動画の位置に前記各分割動画を挿入し、この各分割動画を含んで複数の動画を再構成することを要旨とする。
【００２２】
請求項７記載の本発明にあっては、任意の動画を所定のマウス操作で指定すると、スライダバーおよび基本区切りバーが表示され、スライダバーの下方に基本区切りバーの時間位置で分割した各分割動画が表示し、スライダバーの上方に基本区切りバーの直前直後の各静止画を表示するため、スライダバー上の基本区切りバーの位置による分割動画および静止画を見ながら分割動画を更に再分割することができ、分割動画に簡単かつ効率的に編集することができる。
【００２３】
また、請求項８記載の本発明は、請求項７記載の発明において、前記基本区切りバーを所定のマウス操作でスライダバー上の任意の時間位置に移動させ、この移動した基本区切りバーの前記任意の時間位置で前記任意の動画を分割した各分割動画を基本区切りバーで分割された各時間帯に対応してスライダバーの下方に表示し、スライダバーの上方に基本区切りバーの任意の時間位置の直前直後の各静止画を表示し、所定の決定処理に応じて前記複数の動画のうち、前記任意の動画の位置に前記各分割動画を挿入し、この各分割動画を含んで複数の動画を再構成することを要旨とする。
【００２４】
請求項８記載の本発明にあっては、基本区切りバーを所定のマウス操作でスライダバー上で移動させ、この移動した基本区切りバーの任意の時間位置で分割した各分割動画をスライダバーの下方に表示し、上方に基本区切りバーの任意の時間位置の直前直後の各静止画を表示するため、スライダバー上で基本区切りバーを移動しつつ分割動画および静止画を見ながら分割動画を更に再分割することができ、分割動画の編集を簡単かつ効率的に行うことができる。
【００２５】
請求項９記載の本発明は、請求項７または８記載の発明において、前記スライダバー上の１つ以上任意の数の時間位置における所定のマウス操作により前記１つ以上任意の数の時間位置のそれぞれに対して１つ以上任意の数の別の区切りバーを前記基本区切りバーに加えて表示し、前記１つ以上任意の数の別の区切りバーと基本区切りバーのそれぞれの時間位置で前記任意の動画を分割した各分割動画をそれぞれの区切りバーで分割された各時間帯にそれぞれ対応してスライダバーの下方に表示することを要旨とする。
【００２６】
請求項９記載の本発明にあっては、スライダバー上に所定のマウス操作で１つ以上任意の数の別の区切りバーを基本区切りバーに加えて表示し、各区切りバーで分割した各分割動画をスライダバーの下方に表示するため、複数の区切りバーを使用して、分割動画の再分割を行うことができ、分割動画の編集を簡単かつ効率的に行うことができる。
【００２７】
請求項１０記載の本発明は、請求項９記載の発明において、別の区切りバーに対して所定のマウス操作を行うことにより、前記基本区切りバーを別の区切りバーに切り替え、当該所定のマウス操作された別の区切りバーを基本区切りバーに切り替え、前記切り替えられて生成された別の区切りバーの時間位置の直前直後の各静止画を表示することを要旨とする。
【００２８】
請求項１０記載の本発明にあっては、別の区切りバーに対する所定のマウス操作により、基本区切りバーを別の区切りバーに切り替え、別の区切りバーを基本区切りバーに切り替えるため、分割動画の再分割処理および編集を更に効率的に行なうことができる。
【００２９】
また、請求項１１記載の本発明は、請求項９または１０記載の発明において、前記別の区切りバーを所定のマウス操作でスライダバー上の任意の時間位置に移動させ、この移動した別の区切りバーの前記任意の時間位置で前記任意の動画を分割した各分割動画を該別の区切りバーで分割された各時間帯に対応してスライダバーの下方に表示し、所定の決定処理に応じて前記複数の動画のうち、前記任意の動画の位置に前記各分割動画を挿入し、該各分割動画を含んで複数の動画を再構成することを要旨とする。
【００３０】
請求項１１記載の本発明にあっては、別の区切りバーをマウス操作でスライダバー上で移動させ、この移動した別の区切りバーで分割した各分割動画をスライダバーの下方に表示するため、分割動画の再分割処理および編集を更に効率的に行なうことができる。
【００３１】
更に、請求項１２記載の本発明は、一覧表示された複数の動画のダイジェスト動画を生成する動画処理方法であって、前記一覧表示された複数の動画のうちダイジェスト動画として適切な１つ以上複数の動画を選択的に指定し、この指定された動画を所定の順番または指定された順番で統合してダイジェスト動画を生成することを要旨とする。
【００３２】
請求項１２記載の本発明にあっては、一覧表示された複数の動画のうちダイジェスト動画として適切な１つ以上複数の動画を指定し、この指定された動画を所定の順番または指定された順番で統合してダイジェスト動画を生成するため、比較的簡単かつ効率的にダイジェスト動画を生成することができる。
【００３３】
請求項１３記載の本発明は、請求項１２記載の発明において、前記ダイジェスト動画として適切な１つ以上複数の動画の選択的指定処理は、前記一覧表示された複数の動画のそれぞれに対応して設けられたチェックボックスを表示し、前記複数の動画のうちダイジェストとして適切な１つ以上複数の動画に対応するチェックボックスにチェックマークを設定することにより行われ、前記ダイジェスト動画の生成処理は、前記チェックマークの設定された１つ以上複数の動画を所定の順番または指定された順番で統合してダイジェスト動画を生成することを要旨とする。
【００３４】
請求項１３記載の本発明にあっては、複数の動画の各々にチェックボックスを表示し、ダイジェスト動画として適切な１つ以上複数の動画に対応するチェックボックスにチェックマークを設定し、チェックマークのついた１つ以上複数の動画を所定の順番または指定された順番で統合してダイジェスト動画を生成するため、簡単かつ効率的にダイジェスト動画を生成することができる。
【００３５】
また、請求項１４記載の本発明は、一覧表示された複数の動画のうちの任意の動画同士を結合する動画処理装置であって、前記一覧表示された複数の動画のうち、任意の動画を第１の動画として指定する第１動画指定手段と、この第１の動画の指定後に所定のマウス操作で前記複数の動画のうちの第１の動画とは別の任意の動画を第２の動画として指定する第２動画指定手段と、この第２の動画に前記第１の動画を結合する結合手段とを有することを要旨とする。
【００３６】
請求項１４記載の本発明にあっては、一覧表示された複数の動画のうち、任意の動画を所定のマウス操作で第１の動画として指定し、それから所定のマウス操作で第１の動画とは別の任意の動画を第２の動画として指定し、この第２の動画に前記第１の動画を結合するため、動画の結合をマウス繰作により極めて簡単に行うことができ、従来、自動分割により意図しない所で分割されてしまった分割動画をユーザが好ましいと思う意味のある分割動画に簡単に編集することができる。
【００３７】
更に、請求項１５記載の本発明は、一覧表示された複数の動画のうちの任意の動画同士を結合する動画処理装置であって、前記一覧表示された複数の動画のうち、マウス押下で掴まれた任意の動画を第１の動画として検出する第１動画検出手段と、このマウス押下で掴まれた第１の動画のドラッグによる移動を監視してマウスが離された位置を検出する位置検出手段と、このマウスの離された位置に前記複数の動画のうちの前記第１の動画とは別の任意の動画が存在するか否かを検出する動画存在検出手段と、前記別の任意の動画が存在する場合、該動画を第２の動画として検出し、この第２の動画に前記マウス押下で掴まれた第１の動画を結合する結合手段とを有することを要旨とする。
【００３８】
請求項１５記載の本発明にあっては、複数の動画のうち、マウス押下で掴まれた任意の動画を第１の動画として検出し、この第１の動画のドラッグによる移動を監視してマウスが離された位置を検出し、この位置に存在する別の任意の動画を第２の動画として検出し、第２の動画に第１の動画を結合するため、動画の結合をマウス操作により極めて簡単に行うことができ、従来、自動分割により意図しない所で分割されてしまった分割動画をユーザが好ましいと思う意味のある分割動画に簡単に編集することができる。
【００３９】
請求項１６記載の本発明は、一覧表示された複数の動画のうちの任意の動画を分割する動画処理方法であって、前記一覧表示された複数の動画のうち、任意の動画を選択的に指定する動画指定手段と、この指定された任意の動画を複数の動画に分割する分割手投とを有することを要旨とする。
【００４０】
請求項１６記載の本発明にあっては、一覧表示された複数の動画のうち、任意の動画を所定のマウス操作で選択的に指定し、この指定された任意の動画を複数の動画に分割するため、動画の分割をマウス操作により極めて簡単に行うことができ、従来、自動分割により意図しない所で分割されてしまった分割動画をユーザが好ましいと思う意味のある分割動画に簡単に編集することができる。
【００４１】
また、請求項１７記載の本発明は、請求項１６記載の発明において、前記分割手段が、前記任意の動画が所定のマウス操作で選択的に指定されると、該任意の動画の全再生時間長に対応する全時間長を有する直線状のスライダバーおよび該スライダバー上の所定の時間位置に基本区切りバーを表示するスライダバー表示手段と、前記スライダバーの下方に基本区切りバーの時間位置で前記任意の動画を分割した各分割動画を基本区切りバーで分割された各時間帯に対応して表示する分割動画表示手段と、スライダバーの上方に基本区切りバーの時間位置の直前直後の各静止画を表示する静止画表示手段と、所定の決定処理に応じて前記複数の動画のうち、前記任意の動画の位置に前記各分割動画を挿入し、この各分割動画を含んで複数の動画を再構成する動画再構成手段とを有することを要旨とする。
【００４２】
請求項１７記載の本発明にあっては、任意の動画を所定のマウス操作で指定すると、スライダバーおよび基本区切りバーが表示され、スライダバーの下方に基本区切りバーの時間位置で分割した各分割動画が表示し、スライダバーの上方に基本区切りバーの直前直後の各静止画を表示するため、スライダバー上の基本区切りバーの位置による分割動画および静止画を見ながら分割動画を更に再分割することができ、分割動画に簡単かつ効率的に編集することができる。
【００４３】
更に、請求項１８記載の本発明は、請求項１７記載の発明において、前記基本区切りバーを所定のマウス操作でスライダバー上の任意の時間位置に移動させる区切りバー移動手段と、この移動した基本区切りバーの前記任意の時間位置で前記任意の動画を分割した各分割動画を基本区切りバーで分割された各時間帯に対応してスライダバーの下方に表示する移動後分割動画表示手段と、スライダバーの上方に基本区切りバーの任意の時間位置の直前直後の各静止画を表示する移動後静止画表示手段と、所定の決定処理に応じて前記複数の動画のうち、前記任意の動画の位置に前記各分割動画を挿入し、この各分割動画を含んで複数の動画を再構成する移動後動画再構成手段と有することを要旨とする。
【００４４】
請求項１８記載の本発明にあっては、基本区切りバーを所定のマウス操作でスライダバー上で移動させ、この移動した基本区切りバーの任意の時間位置で分割した各分割動画をスライダバーの下方に表示し、上方に基本区切りバーの任意の時間位置の直前直後の各静止画を表示するため、スライダバー上で基本区切りバーを移動しつつ分割動画および静止画を見ながら分割動画を更に再分割することができ、分割動画に簡単かつ効率的に編集することができる。
【００４５】
請求項１９記載の本発明は、一覧表示された複数の動画のダイジェスト動画を生成する動画処理装置であって、前記一覧表示された複数の動画のうちダイジェスト動画として適切な１つ以上複数の動画を選択的に指定する動画指定手段と、この指定された動画を所定の順番または指定された順番で統合してダイジェスト動画を生成するダイジェスト動画生成手段とを有することを要旨とする。
【００４６】
請求項１９記載の本発明にあっては、一覧表示された複数の動画のうちダイジェスト動画として適切な１つ以上複数の動画を指定し、この指定された動画を所定の順番または指定された順番で統合してダイジェスト動画を生成するため、比較的簡単かつ効率的にダイジェスト動画を生成することができる。
【００４７】
また、請求項２０記載の本発明は、請求項１乃至１３のいずれか１項に記載の動画処理方法をコンピュータ実行可能な動画処理プログラムとしてコンピュータに実行させることを要旨とする。
【００４８】
請求項２０記載の本発明にあっては、請求項１乃至１３のいずれか１項に記載の動画処理方法をコンピュータ実行可能な動画処理プログラムとして記録媒体に記録しているため、該記録媒体を用いて、その流通性を高めることができる。
【発明の効果】
【００４９】
以上説明したように、本発明によれば、一覧表示された複数の動画のうち、任意の動画を所定のマウス操作で第１の動画として指定し、それから所定のマウス操作で第１の動画とは別の任意の動画を第２の動画として指定し、この第２の動画に前記第１の動画を結合するので、動画の結合をマウス操作により極めて簡単に行うことができ、従来、自動分割により意図しない所で分割されてしまった動画をユーザが好ましいと思う意味のある分割動画に簡単に編集することができる。
【００５０】
また、本発明によれば、複数の動画のうち、マウス押下で掴まれた任意の動画を第１の動画として検出し、この第１の動画のドラッグによる移動を監視してマウスが離された位置を検出し、この位置に存在する別の任意の動画を第２の動画として検出し、第２の動画に第１の動画を結合するので、動画の結合をマウス操作により極めて簡単に行うことができ、従来、自動分割により意図しない所で分割されてしまった分割動画をユーザが好ましいと思う意味のある分割動画に簡単に編集することができる。
【００５１】
更に、本発明によれば、複数の動画のうち、所定のマウス操作で第１の動画を指定し、この第１の動画に隣接している動画のうち所定の装置パラメータに従った側に隣り合っている動画を第２の動画として検出し、この第２の動画に第１の動画に結合するので、動画の結合をマウス操作により極めて簡単に行うことができ、従来、自動分割により意図しない所で分割されてしまった分割動画をユーザが好ましいと思う意味のある分割動画に簡単に編集することができる。
【００５２】
本発明によれば、任意の動画を所定のマウス操作で指定すると、スライダバーおよび基本区切りバーが表示され、スライダバーの下方に基本区切りバーの時間位置で分割した各分割動画が表示し、スライダバーの上方に基本区切りバーの直前直後の各静止画を表示するので、スライダバー上の基本区切りバーの位置による分割動画および静止画を見ながら分割動画を更に再分割することができ、分割動画に簡単かつ効率的に編集することができる。
【００５３】
また、本発明によれば、基本区切りバーを所定のマウス操作でスライダバー上で移動させ、この移動した基本区切りバーの任意の時間位置で分割した各分割動画をスライダバーの下方に表示し、上方に基本区切りバーの任意の時間位置の直前直後の各静止画を表示するので、スライダバー上で基本区切りバーを自由に移動しつつ分割動画および静止画を見ながら分割動画を更に再分割することができ、分割動画に簡単かつ効率的に編集することができる。
【００５４】
更に、本発明によれば、スライダバー上に所定のマウス操作で１つ以上任意の数の別の区切りバーを基本区切りバーに加えて表示し、各区切りバーで分割した各分割動画をスライダバーの下方に表示するので、複数の区切りバーを使用して、分割動画の再分割を行いながら分割動画の編集を簡単かつ効率的に行うことができる。
【００５５】
本発明によれば、別の区切りバーに対する所定のマウス操作により、基本区切りバーを別の区切りバーに切り替え、別の区切りバーを基本区切りバーに切り替えるので、分割動画の再分割処理および編集を更に効率的に行なうことができる。また、本発明によれば、別の区切りバーをマウス操作でスライダバー上で移動させ、この移動した別の区切りバーで分割した各分割動画をスライダバーの下方に表示するので、分割動画の再分割処理および編集を更に効率的に行なうことができる。
【００５６】
更に、本発明によれば、一覧表示された複数の動画のうちダイジェスト動画として適切な１つ以上複数の動画を指定し、この指定された動画を所定の順番または指定された順番で統合してダイジェスト動画を生成するので、比較的簡単かつ効率的にダイジェスト動画を生成することができる。
【００５７】
本発明によれば、複数の動画の各々にチェックボックスを表示し、ダイジェスト動画として適切な１つ以上複数の動画のチェックボックスにチェックマークを設定し、チェックマークのついた１つ以上複数の動画を所定の順番または指定された順番で統合してダイジェスト動画を生成するので、簡単かつ効率的にダイジェスト動画を生成することができる。
【００５８】
また、本発明によれば、請求項１乃至１３のいずれか１項に記載の動画処理方法をコンピュータ実行可能な動画処理プログラムとして記録媒体に記録しているため、該記録媒体を用いて、その流通性を高めることができる。
【発明を実施するための最良の形態】
【００５９】
本発明に係る動画処理方法は、一覧表示された複数の動画のうちの任意の動画同士を結合する動画処理方法であって、前記一覧表示された複数の動画のうち、任意の動画を第１の動画として指定し、この第１の動画の指定後に前記複数の動画のうちの第１の動画とは別の任意の動画を第２の動画として指定し、この第２の動画に前記第１の動画を結合することにより、動画の結合をマウス操作により極めて簡単に行うことができ、従来、自動分割により意図しない所で分割されてしまった分割動画をユーザが好ましいと思う意味のある分割動画に簡単に編集することができる。
【００６０】
また、一覧表示された複数の動画のうちの任意の動画を分割する動画処理方法であって、前記一覧表示された複数の動画のうち、任意の動画を選択的に指定し、この指定された任意の動画を複数の動画に分割することにより、動画の分割をマウス操作により極めて簡単に行うことができ、従来、自動分割により意図しない所で分割されてしまった分割動画をユーザが好ましいと思う意味のある分割動画に簡単に編集することができる。
【００６１】
さらに、一覧表示された複数の動画のダイジェスト動画を生成する動画処理方法であって、前記一覧表示された複数の動画のうちダイジェスト動画として適切な１つ以上複数の動画を選択的に指定し、この指定された動画を所定の順番または指定された順番で統合してダイジェスト動画を生成することにより、比較的簡単かつ効率的にダイジェスト動画を生成することができる。
【実施例】
【００６２】
以下、図面を用いて本発明の実施の形態を説明する。図１は、本発明の一実施形態に係わる動画処理方法を実施する動画処理装置を含む動画処理システムの構成を示すブロック図である。
【００６３】
図１に示す実施形態の動画処理システムは、インターネット５を介して接続されているクライアント端末３からの要求に応じて元動画を分割した複数の分割動画の任意の動画を結合したり、分割したり、そのダイジェスト動画を生成するものであって、元動画を複数の分割動画に分割する分割処理、ユーザ情報、検索インデックス、分割動画などの生成や管理、ユーザ認証、分割動画の結合、分割およびダイジェスト動画の生成などを行う動画編集サーバ１１と、テキスト文章の生成処理、コンテンツ関係付け処理の機能に加えて多重関係付け機能および多重関係付け解除機能を有するアプリケーションサーバ１３と、複数の分割動画の一覧表示用ページなどを配信するストリームサーバ１５とから構成されている。また、本実施形態の動画処理システムは、インターネット５を介して一般のwwwサーバ７のホームベージ７１に接続されている。
【００６４】
図１に示す実施形態の動画処理システムは、図２９で説明したように、元動画１０３をシーン毎に複数の分割動画１０５に自動的に分割し、この分割された複数の分割動画１０５をクライアント端末のディスプレイ３ａに一覧表示するとともに、また検索インデックス用の文字列を含むテキスト文章１０１をクライアント端末のディスプレイ３ａに表示し、この表示されたテキスト文章１０１の中のマウス操作で選択された任意の文字列に対してマウスで掴んだ分割動画をドラッグさせて接近させることにより、当該文字列に分割動画を関係付け、この文字列を分割動画の検索インデックスとして登録するという動画関係付け処理、この動画関係付け処理で文字列に対して先の分割動画の関係付けに対して更に別の分割動画を多重に関係付ける多重関係付け処理、およびこの多重関係付け処理で関係付けられた分割動画の関係付けを解除する多重関係付け解除処理を行うものにおいて、上述したように元動画１０３から自動的に分割されて生成された複数の分割動画１０５の任意の分割動画同士を結合したり、任意の分割動画を更に分割したり、複数の分割動画１０５のダイジェスト動画を生成する動画処理をクライアント端末３上のブラウザでマウス操作のみで可能とするものである。
【００６５】
本実施形態の動画処理システム１は、更に詳しくは、図２に示すように構成され、クライアント端末３は、検索インデックス用の文字列を含むテキスト文章１０１を表示するとともに、このテキスト文章１０１に対して関係付けされる一覧表示された複数の分割動画１０５が表示されるが、分割動画１０５に付与する検索インデックス用の文字列の存在するテキストコンテンツを選択するための指示（テキストコンテンツの存在するホームページのURLを含むテキストコンテンツ選択指示）をアプリケーションサーバ１３に対して行うテキストコンテンツ選択部３１、前記複数の分割動画１０５の任意の動画の結合、分割およびダイジェスト動画の生成を行う動画結合・分割・ダイジェスト動画生成機能部３４、ダイジェスト動画の生成を起動するダイジェスト生成ボタン３８、例えば利用者が予め撮影してクライアント端末３に保存しているように複数の元動画の中から検索インデックスの付与を行いたい所望の元動画１０３を選択する元動画選択部３５、および本動画処理システムを利用するユーザの認証を含む更新処理を実施する更新処理選択部３７を有する。
【００６６】
また、動画編集サーバ１１は、クライアント端末３で選択された元動画１０３をインターネット５を介して動画編集サーバ１１にアップロード（転送）する動画アップロード機能部１１１、この動画アップロード機能部１１１によりアップロードされて受信した元動画を複数の分割動画１，２，３，…ｎに分割する動画分割機能部１１３、クライアント端末３の更新処理選択部３７からの指示によりユーザ認証を行うユーザ認証機能部１２１、ユーザ情報を管理するユーザ管理データベース（ＤＢ）１２３、このユーザ管理データベース１２３に登録されているユーザ情報に基づきユーザの管理を行うユーザ管理機能部１２５、アプリケーションサーバ１３からのデータに基づき動画検索インデックス用のデータ、具体的には元動画名、テキスト文章名、処理番号、分割動画名、選択文字列、検索キーワードなどを含む動画検索インデックス用のデータを作成するインデックスデータ作成機能部１１５、このインデックスデータ作成機能部１１５で作成された動画検索インデックス用のデータを受け取って保存する動画インデックスデータベース（ＤＢ）１１７、クライアント端末３のダイジェスト生成ボタン３８から供給されるダイジェスト動画用に選択された動画の識別情報である選択動画ＩＤをインターネット５を介して受信し、ダイジェスト動画の生成、表示、保存を行うダイジェスト生成、表示、保存機能部１３８、およびこのダイジェスト生成、表示、保存機能部１３８から供給されるダイジェスト動画を記憶するダイジェスト動画データベース（ＤＢ）１２０を有する。
【００６７】
アプリケーションサーバ１３は、クライアント端末３のテキストコンテンツ選択部３１からのテキストコンテンツ選択指示（例えばテキストコンテンツの存在するホームベージのURLを含む）を受信し、この指示に基づきテキストコンテンツを生成し、テキスト文章１０１としてクライアント端末３に転送するテキストコンテンツ生成機能部１３１、このテキストコンテンツ生成機能部１３１によりテキストコンテンツを生成するために参照され、本システムで利用可能なインターネット５上のホームページのURL名、テキスト文章選択情報ファイル名、編集後ページファイル名をホームページ登録情報として保存しているホームベージ登録情報データベース（ＤＢ）１３５、既に任意の文字列に対して任意の分割動画が関係付けられている動画関係付け状態において更に同じ文字列に別の任意の分割動画を関係付ける多重関係付けを行うとともに該文字列に分割動画へのハイパーリンクを設定表示する多重関係付けハイパーリンク表示機能部１３２、クライアント端末３におけるマウス操作により多重関係付けされた関係付けテキスト文字列、関係付け動画名、作成者ユーザＩＤ、作成者ユーザ権限を入力情報として受信し、これらの多重関係付け情報に通番および関係付け実施日情報を付与して関係付け定義ファイルデータベース（ＤＢ）１３９に記録する関係付け情報記録機能部１３４、クライアント端末３からの多重関係付け解除指示を関係付け通番とともに受信し、関係付け定義ファイルデータベース１３９に記録されている多重関係付けを解除する多重関係付け解除機能部１３６、および文字列と分割動画との多重関係付け情報を含む関係付け情報を定義ファイルとして登録するとともに、前記テキストコンテンツ生成機能部１３１に処理番号、選択文字列、選択分割動画名を関係付け情報として供給する関係付け定義ファイルデータベース１３９を有する。
【００６８】
ストリームサーバ１５は、動画編集サーバ１１の動画分割機能部１１３で分割作成された複数の分割動画１，２，３，…ｎのサムネイル表示用ページを生成し、このサムネイル表示用ページをインターネット５を介してクライアント端末３に転送するサムネイル表示機能部１５１を有する。
【００６９】
次に、図３〜図９を参照して、本実施形態における動画の結合処理について説明する。
【００７０】
まず、ユーザはクライアント端末３から図１に示す動画処理システムの動画編集サーバ１１にログインすると、図３に示すようにユーザ名、パスワードなどをユーザが入力するためのユーザの確認画面が表示される。ユーザがこの画面に従ってユーザ名およびパスワードを入力してから、ログインボタンをクリックすると、クライアント端末３の更新処理選択部３７が駆動され、更新処理選択部３７からインターネット５を介して動画編集サーバ１１のユーザ認証機能部１２１にユーザ名およびパスワードが転送される。ユーザ認証機能部１２１は、このクライアント端末３から転送されてきたユーザ名およびパスワードをユーザ管理データベース１２３に登録されているユーザ名およびパスワードと照合してユーザ認証を行う。このユーザ認証の結果により、ユーザが正当なものであるか否かを判定し、正当なユーザでない場合には、その旨をクライアント端末３を介してユーザに通知するが、ユーザ認証機能部１２１が正当なユーザであることを確認すると、クライアント端末３のディスプレイ３ａには図４においてフレーム２０７に示すような正当なユーザに対して本システムの使用を可能とする表示を行う。
【００７１】
ユーザはクライアント端末３に表示された本システムの使用を可能とする表示を確認すると、図４においてフレーム２０７内に示す参照ボタン２３１をマウスでクリックし、クライアント端末３の元動画選択部３５により元動画の動画ファイルが選択され、この選択された元動画は図５に示すようにフレーム２０７に符号１０３で示すように表示される。また、この元動画１０３を表示しているフレーム２０７にはサーバ参照ボタン２３３や動画分割ボタン２３５も表示される。なお、クライアント端末３のフレーム２０７に表示された元動画１０３は単なる静止画でなく、実際に画像が動いている連続した動画として表示されているものである。
【００７２】
クライアント端末３のディスプレイ３ａに表示された元動画１０３を見て、ユーザは動画分割ボタン２３５をマウスでクリックすると、先に選択した動画ファイルがインターネット５を介して動画編集サーバ１１に転送され、すなわち動画編集サーバ１１の動画アップロード機能部１１１にアップロードされる。
【００７３】
動画編集サーバ１１の動画アップロード機能部１１１は、クライアント端末３から元動画ファイルを受信すると、動画分割機能部１１３を呼び出し、元動画ファイルを動画分割機能部１１３に渡す。動画分割機能部１１３は、元動画ファイルを受け取ると、この元動画ファイルをシーン単位に自動的に分割し、複数の分割動画１，２，３，…ｎを生成する。
【００７４】
このように分割された複数の分割動画１，２，３，…ｎは、ストリームサーバ１５のサムネイル表示機能部１５１に供給され、ここで分割動画１，２，３，…ｎのサムネイル表示用ページが生成される。このサムネイル表示用ページは、サムネイル表示機能部１５１からインターネット５を介してクライアント端末３に転送され、図５においてフレーム２０５内に符号１０５で示すように複数の分割動画１，２，３，…１１としてその下方にそれぞれの分割動画の番号１，２，３，…１１と後述する矩形のチェックボックスとともに表示される。なお、この一覧表示された複数の分割動画１，２，３，…１１も単なる静止画でなく、実際に画像が動いている連続した分割動画として表示されているものである。
【００７５】
このように複数の分割動画１，２，３，…１１の一覧表示用ページがクライアント端末３のディスプレイ３ａのフレーム２０５に表示されると、フレーム２０５の真上のフレーム２０３に検索インデックス用の文字列を含むテキスト文章１０１が既に表示されているので、ユーザはマウスを用いて、テキスト文章内の文字列と分割動画との関係付けを行うことになるが、本発明ではこの動画関係付け処理は特に関係ないので、その説明は省略する。
【００７６】
クライアント端末３のディスプレイ３ａに図５に示すように複数の分割動画１，２，３，…１１が表示されると、この分割動画１，２，３，…１１は、元動画１０３から上述したように自動的に分割されたものであるため、使用者の意図していない所で分割されてしまって、適切な分割でないので、この複数の分割動画１，２，３，…１１をユーザが好ましいと思う意味のある分割動画に編集するために該複数の分割動画１，２，３，…１１の任意の分割動画同士を結合する動画結合処理を行なう。
【００７７】
この動画結合処理では、図５において複数の分割動画１，２，３，…１１の中から結合したい分割動画、例えば分割動画１０に対して分割動画１１を結合しようとする場合には、分割動画１１をマウス押下で掴みドラッグして、矢印４０１で示すように結合先の分割動画１０の上に移動させると、この分割動画１１は分割動画１０に結合される。この結合では、分割動画１０の後に分割動画１１が結合され、図８に結合された分割動画１０として示すように１つの分割動画として生成される。なお、この場合の結合は、動画の結合であるので、分割動画１０の後に続いて分割動画１１がそのまま結合され、この結合された１つの分割動画では、分割動画１０が再生された後に、分割動画１１がそのまま再生されるものである。なお、上記説明では、結合先の分割動画１０の後にマウスで掴まれた分割動画１１が結合されると説明したが、逆にマウスで掴まれた分割動画１１の後に分割動画１０を結合してもよいものであり、いずれの方法で結合するか否かはシステムとして予め定められている所定の装置パラメータに従って実行されるものである。
【００７８】
なお、上述したように、マウスで掴まれた分割動画１１を結合先の分割動画１０の上にドラッグして移動させると、この時点で図７に示すように「分割動画１０と分割動画１１とを結合していいですか？」というガイダンスがクライアント端末３のディスプレイ３ａに表示されるので、ユーザはそのガイダンスを見て、ＯＫボタンを押下すると、分割動画１０と１１の結合が行われ、図８に示すように１つの分割動画１０として画面表示される。
【００７９】
上記説明では、分割動画が１０と１１のように隣接している分割動画同士についての結合について説明しているが、図６に示すように、隣接している分割動画同士でなく、分割動画７と分割動画１１のように離れている分割動画同士でも同様に結合できることは勿論のことである。なお、図６では、分割動画１１をマウス押下で掴んでドラッグし、結合先の分割動画７の上に移動させることにより、分割動画７に対して分割動画１１を結合するものである。
【００８０】
次に、図９に示すフローチャートを参照して、上述した分割動画同士の結合処理について説明する。
【００８１】
図９に示すフローチャートでは、まずマウスイベントを取得するためにクライアント端末３におけるマウスの動きを監視し、マウスの動きがあるか否かを検出する（ステップＳ１０１）。マウスに動きがある場合には、このマウスの動きがマウスのダウンであるかアップであるかを検知し、マウスのダウンである場合には、マウスの左右どちらのボタンを押下したか否かを判定する（ステップＳ１０３）。マウスの右ボタンが押下されたものである場合には、後述する本発明の他の実施形態における動画再分割処理が起動されるが、この動画再分割処理については後述する。
【００８２】
ステップＳ１０３の判定において、マウスの左ボタンが押下された場合には、このマウス押下により掴んだ分割動画がドラッグされ、結合先の分割動画への移動開始する場合であるので、まずマウスで掴んだ分割動画名または分割動画の番号を保存し（ステップＳ１０７）、更にマウスが押下された位置情報を保存する（ステップＳ１０９）。
【００８３】
また、ステップＳ１０１において、マウスの動きを検知し、このマウスの動きがマウスのアップである場合、すなわちマウスが離された場合には、このマウスが離された位置が現在のフレームの中か否かを判定する（ステップＳ１１１）。すなわち、マウスが離された位置が複数の分割動画１，２，３，…１１が表示されているフレーム２０５の中であるか否かを判定する。当該フレーム２０５の外である場合には、本処理を終了するが、フレーム２０５の中である場合には、現在マウスで掴んでいる分割動画が他の分割動画と重なっているか否かを判定する（ステップＳ１１３）。重なっていない場合には、マウスで掴んだ分割動画を元の位置、すなわち分割動画をマウスで掴んだ位置に戻し、最初のステップＳ１０１に戻り、同じ動作を繰り返す（ステップＳ１１５）。
【００８４】
ステップＳ１１３の判定において、現在マウスで掴んでいる分割動画が他の分割動画と重なっていることを検知した場合には、現在マウスで掴んでいる分割動画名および分割動画番号と重なっている分割動画名および分割動画番号を取得し、両分割動画の名前または番号を引数として両分割動画の結合アプリケーションを起動し、マウスで掴まれた分割動画を重なっている分割動画の後に結合する（ステップＳ１１７）。それから、このように結合された後に生成された分割動画を図８に示すように表示して本処理を終了する（ステップＳ１１９）。
【００８５】
次に、図１０〜図２０を参照して、本発明の他の実施形態に係わる動画処理システムにおける分割動画の再分割処理について説明する。なお、本実施形態の動画処理システムの構成は図１および図２に示すものと同じである。
【００８６】
まず、クライアント端末３のディスプレイ３ａには、上述した実施形態と同様に図１０に示すように、フレーム２０３にはテキスト文章１０１が表示され、フレーム２０５には複数の分割動画１，２，３，…１０が表示され、更にフレーム２０７に元動画１０３が表示されているものとする。なお、この図１０に示す状態は、先の実施形態の図８に相当すると考えてもよく、すなわち図１０において分割動画１０は先の実施形態において図８で示したように分割動画１０と１１を結合した分割動画であると考えてもよい。
【００８７】
このように図１０に示す状態において、クライアント端末３のディスプレイ３ａのフレーム２０５に表示されている複数の分割動画１，２，３，…１０のうち、任意の分割動画、例えば図１０で矢印で示す分割動画５を更に分割したい場合には、当該分割動画５をマウスで右クリックする。
【００８８】
このようにクライアント端末３に表示された複数の分割動画１，２，３，…１０のうち例えば分割動画５がマウスで右クリックされると、クライアント端末３のディスプレイ３ａには、図１１に示すように、分割動画再分割画面５０１が表示され、この分割動画再分割画面５０１の中央に前記右クリックされた分割動画５の全再生時間長に対応する全時間長を有する直線状のスライダバー５０３が表示される。すなわち、スライダバー５０３は、分割動画５の再生時間に対応する長さを有し、このスライダバー５０３の例えば左端は分割動画５の開始時点を示し、右端は分割動画５の終了時点を示すというようにスライダバー５０３の長さ方向は、分割動画５の再生時の時間位置を示し、スライダバー５０３の各点は分割動画５の各再生時点を示しているものである。また、スライダバー５０３上に表示される基本区切りバー５０５は、分割動画５の全再生時間を左側の第１の時間帯と右側の第２の時間帯に分割しているものである。なお、スライダバー５０３の右側には決定およびキャンセルのボタンが表示されている。
【００８９】
また、このスライダバー５０３の上には基本区切りバー５０５が示され、この基本区切りバー５０５の下方には、基本区切りバー５０５の時間位置で分割動画５を再分割した第１の分割動画５ｍａおよび第２の分割動画５ｍｂが、基本区切りバー５０５で再分割された第１の時間帯および第２の時間帯にそれぞれ対応して表示されている。すなわち、第１の時間帯の始めの左端が第１の分割動画５ｍａの開始時点であり、第１の時間帯の終わりである右端、すなわち基本区切りバー５０５の直ぐ左側が第１の分割動画５ｍａの終了時点である。また、第２の時間帯の始めの左端、すなわち基本区切りバー５０５の直ぐ右側が第２の分割動画５ｍｂの開始時点であり、第２の時間帯の終わりである右端が第２の分割動画５ｍｂの終了時点である。
【００９０】
更に、スライダバー５０３の上方には基本区切りバー５０５の時間位置の直前直後の第１の静止画５ｓａおよび第２の静止画５ｓｂ、すなわち分割動画５の第１の静止画５ｓａおよび第２の静止画５ｓｂが表示されている。なお、基本区切りバー５０５の、スライダバー５０３上の時間位置は、本例ではスライダバー５０３の中央、すなわち分割動画５の全再生時間の丁度真中に相当する位置に設定されているが、この位置は中央である必要はなく、所定の装置パラメータによりシステムにおいて所定の時間位置に設定し得るものである。
【００９１】
スライダバー５０３上の基本区切りバー５０５をマウス押下で掴んで、スライダバー５０３上で左右にドラッグして移動させると、基本区切りバー５０５は、スライダバー５０３上の任意の時間位置に移動することができ、基本区切りバー５０５がスライダバー５０３上の所望の時間位置に移動した場合に、マウス押下をやめてマウスを離すと、この所望の時間位置における第１の分割動画５ｍａ、第２の分割動画５ｍｂ、第１の静止画５ｓａ、第２の静止画５ｓｂを上述したと同様に分割動画再分割画面５０１上に表示することができる。
【００９２】
具体的には、図１２に示すように、基本区切りバー５０５をマウス押下で掴んでドラッグし、スライダバー５０３上の右方向に移動させ、図１２に示す所望の時間位置でマウス押下をやめてマウスを離すと、基本区切りバー５０５の下方には当該所望の時間位置で分割動画５を分割した第１の分割動画５ｍａおよび第２の分割動画５ｍｂが基本区切りバー５０５で分割された第１の時間帯および第２の時間帯にそれぞれ対応して表示され、またスライダバー５０３の上方には当該所望の時間位置の直前直後の第１の静止画５ｓａおよび第２の静止画５ｓｂが表示される。
【００９３】
なお、上述した基本区切りバー５０５のスライダバー５０３上でのマウス押下およびドラッグによる移動では、常に基本区切りバー５０５のｘ座標位置をマウスのｘ座標位置と置き換えることにより、基本区切りバー５０５をマウスの移動とともに移動するようにしている。また、マウスが離される度に、その時点の基本区切りバー５０５のｘ座標位置を変数として保存し、昇順に並び替えて変数として保存する。
【００９４】
また、分割動画５を基本区切りバー５０５の時間位置で分割して得られる第１の静止画５ｓａおよび第２の静止画５ｓｂは、それぞれ例えばＨＴＭＬ＋ＴＩＭまたはＳＭＩＬＥなどのマークアップ言語の記述により基本区切りバー５０５のｘ座標より計算して求めた分割動画５の分割位置（分割動画の開始時間）まで映像を進め、その位置で分割動画を停止させることで第１の静止画５ｓａが得られ、また分割動画の映像を進める時間を最初の映像よりも０．１秒進めた位置で第２の静止画５ｓｂが得られる。
【００９５】
なお、ＨＴＭＬ＋ＴＩＭＥ（Timed Interactive Multimedia Extensions）やＳＭＩＬＥ（Synchronized Multimedia Integration language）は、マルチメディアファイルを時間等で制御するためのマークアップ言話（予め定義されたタグを使用して文章構造を記述していく言語）であり、上述した第１の静止画５ｓａを得る処理では、例えば、ＨＴＭＬ＋ＴＩＭＥのSeekActive Time Methodにより映像を進め、pause Elementによりその位置で動画を停止させることで得られる。
【００９６】
このように基本区切りバー５０５で分割されて生成させた第１の分割動画５ｍａおよび第２の分割動画５ｍｂは、それぞれ基本区切りバー５０５のｘ座標位置から計算して求めた分割動画の開始時間から終了時間までの各時間帯に対応して繰り返し再生される。詳しくは、第１の分割動画５ｍａおよび第２の分割動画５ｍｂなどの各分割動画の再生方法は、ＨＴＭＬ＋ＴＩＭＥまたはＳＭＩＬＥなどの記述により各分割動画の分割位置（開始時間）まで映像を進めて再生を開始する。一方、分割動画の現在の再生時間を取得し、その分割動画の終了時間まで来たら、また分割動画の分割位置（開始時間）まで映像を進めるというように行われる。例えば、ＨＴＭＬ＋ＴＩＭＥのSeekActive Time Methodにより映像を進め再生を開始する。一方、CurrTimes Stateactive Time Methedにより分割動画の現在の再生時間を取得し、その分割動画の終了時間まで来たら、またSeekActive Time Methodにより映像を進める。
【００９７】
更に、スライダバー５０３上の任意の時間位置でマウスを左ダブルクリックすると、その時間位置のスライダバー５０３上に例えば図１３に示すように、基本区切りバー５０５とは異なる別の区切りバー５０７ａ，５０７ｂを追加表示することができる。なお、図１３の例では、別の区切りバーとして２個の別の区切りバー５０７ａと別の区切りバー５０７ｂを表示しているが、これは、まず別の区切りバー５０７ａの時間位置でマウスを左ダブルクリックし、それから別の区切りバー５０７ｂの時間位置でマウスを左ダブルクリックするという２回のマウスの左ダブルクリックで２個の別の区切りバー５０７ａ，５０７ｂがスライダバー５０３上に追加表示されてものである。なお、本実施形態下は、この別の区切りバー５０７（以下、別の区切りバー５０７ａ，５０７ｂを代表的に記載する場合には、その符号を単に５０７と記載する）は、最大２個までとしているが、本発明はこれに限定されるものでなく、３個以上でも可能である。
【００９８】
上述したように、別の区切りバー５０７をスライダバー５０３上に基本区切りバー５０５に追加するように生成すると、この新たに生成された別の区切りバー５０７と先の基本区切りバー５０５のそれぞれで上述したと同様の処理により、スライダバー５０３の下方には各区切りバー、すなわち別の区切りバー５０７と基本区切りバー５０５の各区切りバーの時間位置で分割動画５を分割した複数の分割動画が各区切りバーで分割されたそれぞれの時間帯に対応して表示される。なお、この場合でも、各静止画は、基本区切りバー５０５の時間位置の直前直後のものがスライダバー５０３の上方に表示されることは同じである。
【００９９】
具体的には、図１３に示すように、スライダバー５０３上の左寄りの時間位置でマウスの左ダブルクリックを行って、別の区切りバー５０７ａを生成し、それからスライダバー５０３上の右寄りの時間位置でマウスの左ダブルクリックを行って、別の区切りバー５０７ｂを追加生成することにより、基本区切りバー５０５と合わせて、３つの区切りバーが生成されると、この３つ区切りバーで分割動画５が４つに分割され、この４つに分割されたそれぞれの時間帯に４つの分割動画５ｍｃ，５ｍｄ，５ｍｅ，５ｍｆがスライダバー５０３の下方に表示される。なお、スライダバー５０３の上方には、基本区切りバー５０５の時間位置の直前直後の第１および第２の静止画５ｓａ，５ｓｂが表示されることは同じである。
【０１００】
また、このように複数の区切りバーで分割されて生成される複数の分割動画は、各時間帯に対応して繰り返し再生される。具体的には、上述したように、ＨＴＭＬ＋ＴＩＭＥまたはＳＭＩＬＥなどの記述によりそれぞれの分割動画の分割位置（開始時間）まで映像を進めて再生を開始するとともに、分割動画の現在の再生時間を取得し、その分割動画の終了時間まで来たら、また分割動画の分割位置（開始時間）まで映像を進めるというように行われる。
【０１０１】
上述したようにスライダバー５０３上で基本区切りバー５０５を移動したり、更には別の区切りバー５０７を増やして、元の分割動画５を再分割した複数の分割動画５ｍａ〜５ｍｆや静止画５ｓａ，５ｓｂなどを閲覧して、所望の分割動画が得られたら、分割動画再分割画面５０１に表示されている決定ボタンを押下することにより、実際に分割動画の再分割が行われ、図１４に示すように、クライアント端末３のディスプレイ３ａに表示される。なお、図１４は、元の分割動画５を基本区切りバー５０５と別の区切りバー５０７ａ，５０７ｂの３個の区切りバーにより４つに分割した場合を示している。
【０１０２】
なお、上述したように、スライダバー５０３上の任意の時間位置においてマウスを左ダブルクリックすることにより追加生成された別の区切りバー５０７を削除したい場合には、その削除したい別の区切りバー５０７の上でマウスを右クリックすると、その別の区切りバー５０７は削除される。このようにして、区切りバーを基本区切りバー５０５の１個から別の区切りバー５０７を追加して、本実施形態では最大３個まで使用することができる。なお、本実施形態では、区切りバーの数を基本区切りバー５０５も入れて、最大３個までとしているので、既に全体で３個の区切りバーがある場合に、スライダバー５０３上で更にマウスの左ダブルクリックが行われると、それ以上の区切りバーの追加は不可能であるので、その旨の警告文がクライアント端末３のディスプレイ３ａに表示される。
【０１０３】
なお、別の区切りバー５０７ａ，５０７ｂの各々は、当該別の区切りバー５０７の上で所定のマウス操作を行うことにより、基本区切りバー５０５に切り替えることができ、このように切り替えられた場合には、最初のまたはこの時の基本区切りバー５０５は別の区切りバー５０７に切り替わり、これによりスライダバー５０３上に表示されていた第１の静止画５ｓａ、第２の静止画５ｓｂを基本区切りバー５０５に切り替えられた別の区切りバー５０７の時間位置の直前直後の静止画に切り替えることも可能である。
【０１０４】
すなわち、各別の区切りバー５０７はいずれも基本区切りバー５０５に切り替わることができ、またこの場合には、最初のまたはこの時の基本区切りバー５０５は別の区切りバー５０７に切り替わるというように基本区切りバー５０５は固定のものでなく、別の区切りバー５０７のどの区切りバーも基本区切りバー５０５に切り替わり、この基本区切りバー５０５から別の区切りバー５０７に切り替わった区切りバーも、当該別の区切りバー５０７の上で所定のマウス操作を行うことにより、基本区切りバー５０５に切り替わる、すなわち元の基本区切りバー５０５に戻ることができるようになっている。
【０１０５】
更に、上記説明では、基本区切りバー５０５がマウス押下で掴まれてドラッグされ、スライダバー５０３上を任意の位置に移動し得るように説明しているが、これは、別の区切りバー５０７にも同様に適用できるものであり、この別の区切りバー５０７をマウス押下で掴んでドラッグし、スライダバー５０３上の任意の位置に移動することも可能であることは勿論のことである。
【０１０６】
図１５は、図１３と同様に基本区切りバー５０５と２つの別の区切りバー５０７ａ，５０７ｂにより分割動画５を４分割した４つの分割動画５ｍｃ〜５ｍｆの各再生時間と区切りバーとの関係の一例を示す図である。
【０１０７】
図１５では、分割動画の再生時間長を４秒とし、別の区切りバー５０７ａを開始時点からＸ１秒の時間位置に設定し、基本区切りバー５０５を開始時点からＸ２秒の時間位置に設定し、別の区切りバー５０７ｂを開始時間からＸ３秒の時間位置に設定した場合が示され、分割動画５ｍｃは０〜Ｘ１秒の再生時間帯で再生され、分割動画５ｍｄはＸ１＋０．１秒〜Ｘ２秒の再生時間帯で再生され、分割動画５ｍｅはＸ２＋０．１秒〜Ｘ３秒の再生時間帯で再生され、分割動画５ｍｆはＸ３＋０．１秒〜４秒の再生時間帯で再生されることになる。
【０１０８】
次に、図１６〜図２０に示すフローチャートを参照して、本実施形態の動画処理システムの動画の再分割処理について説明する。
【０１０９】
まず、図１６に示すフローチャートを参照すると、マウスイベントを取得するためにクライアント端末３におけるマウスの動きを監視し、マウスの動きがあるか否かを検出する（ステップＳ１２１）。マウスに動きがある場合には、このマウスの動きがマウスのダウンであるかアップであるかを検知し、マウスのダウンである場合には、マウスの左右どちらのボタンがクリックされたのか否かを判定する（ステップＳ１２３）。マウスの右ボタンがクリックされた場合には、本実施形態の動画再分割処理が起動され、この右クリックされた分割動画、例えば図１０では分割動画５に対する再分割処理が開始される（ステップＳ１２５）。
【０１１０】
この動画再分割処理では、まず分割動画再分割用の動画が貼られているダミー画面がクライアント端末３のディスプレイ３ａに表示され（ステップＳ１２７）、再分割処理対象の分割動画（上記例では分割動画５）の情報収集および初期設定が行われる（ステップＳ１２９）。このステップＳ１２９における情報収集および初期設定では、再分割処理対象の分割動画の名称または識別情報、再生時間長の取得、ダミー動画の置き換え、スライダバー５０３の長さと当該分割動画の再生時間長との関連付け、区切りバー５０５の初期（分割動画の真中）設定が行われる。
【０１１１】
次に、飛び先記号Ｂに従って図１７のステップＳ１３１に進み、ここで同様にマウスイベントを取得するためにクライアント端末３におけるマウスの動きを監視し、マウスの動きがある否かを検出する、マウスに動きがある場合には、このマウスの動きがマウスダウンであるのかまたはマウスアップであるのかまたはマウスの移動であるのか検知する。
【０１１２】
マウスダウンを検知した場合には、基本区切りバー５０５のｘ座標を現在のマウスのあるｘ座標の位置にし（ステップＳ１３３）、再分割処理対象の分割動画をマウスで掴んでいることを示す判定フラグを設定し（ステップＳ１３５）、ステップＳ１３１に戻り、マウスの動きを監視する。また、マウスアップを検知した場合には、再分割処理対象の分割動画をマウスで掴んでいることを示す判定ブラグを解除し（ステップＳ１３７）、ステップＳ１３１に戻り、マウスの動きを監視する。
【０１１３】
更に、マウスの移動を検知した場合には、再分割処理対象の分割動画をマウスで掴んでいるか否かの判定を行い（ステップＳ１３９）、掴んでいない場合には、ステップＳ１３１に戻り、マウスの動きを監視するが、掴んでいる場合には、基本区切りバー５０５のｘ座標を現在のマウスのあるｘ座標にし（ステップＳ１４１）、この基本区切りバー５０５のｘ座標を変数として保存し、また値を昇順に並び替え（ステップＳ１４３）、飛び先記号Ｄにより図１８のステップＳ１５１に進む。
【０１１４】
図１８のステップＳ１５１では、基本区切りバー５０５の直前直後の分割動画であるフレームを例えば図１１の第１の静止画５ｓａ、第２の静止画５ｓｂのようにスライダバー５０３の上方に表示する。次に、基本区切りバー５０５、別の区切りバー５０７を含む区切りバーの数から分割動画の画面数、すなわち区切りバーで区切られた分割動画の画面数を判定する（ステップＳ１５３）。そして、この区切りバーで区切られた枚数分の分割動画の画面表示エリアを確保する（ステップＳ１５５）。
【０１１５】
それから、上述したようにＨＴＭＬ＋ＴＩＭＥにより分割動画の分割位置（分割動画の開始位置）まで映像を進め、分割動画を再生する（ステップＳ１５７）。また、ＨＴＭＬ＋ＴＩＭＥにより分割動画の現在の再生時間を取得し（ステップＳ１５９）、分割動画の分割点（次の分割動画の開始時間または分割動画の最後）まで到達したか否かを判定する（ステップＳ１６１）。分割点まで到達していない場合には、ステップＳ１５９に戻り、分割点に到達するまで同じ動作を繰り返すが、分割点に到達した場合には、ステップＳ１５７に戻り、分割動画の分割位置まで映像を進め、分割動画を再生する。
【０１１６】
次に、図１９に示すフローチャートでは、まず区切りバー上のマウスダウンを検知すると（ステップＳ１７１）、マウスの左右どちらのボタンをクリックしたか否かを判定し（ステップＳ１７３）、右ボタンをクリックした場合には、区切りバーの数が１本であるか否かを判定する（ステップＳ１７５）。１本でない場合には、対象のものをマイナス座標位置に移動し（ステップＳ１７７）、飛び先記号Ｄにより図１８に示すステップＳ１５１に進み、上述した図１８の動作を同様に行う。
【０１１７】
次に、図２０に示すフローチャートでは、まずスライダバー５０３上でマウスのダブルクリックを検知した場合には（ステップＳ１８１）、基本区切りバー５０５が存在するか否かを判定する（ステップＳ１８３）。この基本区切りバー５０５が存在する場合には、更に別の区切りバー５０７ａが存在するか否かを判定する（ステップＳ１８５）。別の区切りバー５０７ａが存在する場合には、更に別の区切りバー５０７ｂが存在するか否かを判定する（ステップＳ１８７）。この別の区切りバー５０７ｂも存在する場合には、これ以上区切りバーの追加はできない旨のメッセージをクライアント端末３のディスプレイ３ａに表示する（ステップＳ１８９）。
【０１１８】
一方、上記ステップＳ１８３，Ｓ１８５，Ｓ１８７において、それぞれ区切りバーが存在する場合には、存在しなかった区切りバーの種別を設定し、そのバーにアクティブフラグ（基本区切りバーとするフラグ）を立てて、基本区切りバーとする（ステップＳ１９１）。それから、ダブルクリックされたスライダバー５０３上の位置に別の区切りバー５０７を表示し（ステップＳ１９３）、飛び先記号Ｄにより図１８に示すステップＳ１５１に進み、上述した図１８の動作を同様に行う。
【０１１９】
次に、図２１〜図２８を参照して、本発明の更に他の実施形態に係わる動画処理システムにおけるダイジェスト動画生成処理について説明する。なお、本実施形態の動画処理システムの構成は図１および図２に示すものと同じである。
【０１２０】
なお、ダイジェスト動画とは、本実施形態では元動画を分割した複数の分割動画から元動画の内容を要約した概要を表すように生成される動画であり、具体的には複数の分割動画から元動画の内容として重要または適切であると思われる分割動画をピックアップして生成され、すなわちピックアップしてつなぎ合せて生成されるものである。
【０１２１】
まず、クライアント端末３のディスプレイ３ａには、図２１に示すように、フレーム２０３にテキスト文章１０１が表示され、フレーム２０５に複数の分割動画１０５が表示され、更にフレーム２０７には元動画１０３が表示されているが、複数の分割動画１０５のそれぞれの下には、図５で説明したように、それぞれの分割動画の番号１，２，３，…８と矩形のチェックボックスとが並んで表示される。
【０１２２】
従って、ダイジェスト動画の生成では、クライアント端末３のディスプレイ３ａに表示された複数の分割動画１０５のうちダイジェスト動画として適切と思われるまたは元動画に関係が深いと思われる１つ以上複数の動画を選択的に指定するために、まず各分割動画の下に表示されているチェックボックス内に例えば図２２に示すようにチェックマーク「レ」をマウス操作で設定する。図２２の例では、分割動画番号１，４，７，８のチェックボックスにチェックマークが設定されている。
【０１２３】
それから、このように指定された分割動画、すなわちチェックボックスにチェックマークを設定することで指定された分割動画を所定の順番、すなわち分割動画番号の順にまたは別途指定された順番で統合して、すなわちつなぎ合せてダイジェスト動画を生成するために、図２３に示すように、クライアント端末３のディスプレイ３ａの複数の分割動画１０５の右側に表示されているダイジェスト生成ボタン３８をマウスでクリックし、ダイジェスト動画の生成処理を実行させる。
【０１２４】
ダイジェスト動画の生成では、チェックマークが設定されている分割動画の名前または識別情報をチェックマークの設定された分割動画番号順に１つずつ取り出して、動画結合・分割・ダイジェスト動画生成機能部３４のパラメータとして保存し、ダイジェスト生成ボタン３８をマウスでクリックすると、この保存したパラメータを含むダイジェスト動画生成要求がクライアント端末３からインターネット５を介して動画編集サーバ１１のダイジェスト生成、表示、保存機能部１３８に送信され、ダイジェスト生成、表示、保存機能部１３８が起動される。ダイジェスト生成、表示、保存機能部１３８はダイジェスト動画生成処理を実行した結果として生成されたダイジェスト動画をクライアント端末３に返信し、クライアント端末３のディスプレイ３ａに例えば図２４において符号４０で示すようにダイジェスト動画が表示する。
【０１２５】
次に、図２５〜図２８に示す説明図およびフローチャートを参照して、上述したダイジェスト動画生成処理について説明する。
【０１２６】
まず、図２５は、クライアント端末３に設けられている動画結合・分割・ダイジェスト動画生成機能部３４によるダイジェスト動画選択機能を説明しているが、このダイジェスト動画選択機能は、上述したように、各分割動画の下に分割動画番号とともに並んで表示されているチェックボックスにチェックマークを設定することによりダイジェスト動画として適切と思われるまたは元動画に関係が深いと思われる分割動画を選択する。
【０１２７】
図２６は、動画編集サーバ１１に設けられているダイジェスト生成、表示、保存機能部１３８によりダイジェスト生成、表示、保存機能を説明するための図である。
【０１２８】
図２６に示すように、クライアント端末３のディスプレイ３ａに表示されているダイジェスト生成ボタンを操作すると、ダイジェスト生成、表示、保存機能部１３８が呼び出され（ステップＳ２６１）、選択動画ＩＤ、すなわち上述した分割動画識別情報および分割動画の順番が入力され、ダイジェスト生成、表示、保存機能部１３８はこれらの情報に基づきダイジェスト動画生成、保存、表示機能を実行する（ステップＳ２６３）。
【０１２９】
このダイジェスト動画生成、保存、表示機能では、前記チェックボックスのチェック状態を検査し、チェックマークの入っている分割動画名を取り出し、分割動画結合実行ファイルのパラメータとしてリストを作成する。このリスト作成後、分割動画結合実行ファイルを呼び出し、分割動画の結合、すなわちつなぎ合わせを行う。
【０１３０】
それから、結合した結果として生成された動画であるダイジェスト動画をダイジェスト動画データベース１２０に登録する。また、結合された結果として生成されたダイジェスト動画を表示するＨＴＭＬ文を生成し、ダイジェスト生成、表示、保存機能部１３８からインターネット５を介してクライアント端末３のブラウザに送信し、ダイジェスト動画をクライアント端末３のディスプレイ３ａに表示する（ステップＳ２６５）。
【０１３１】
次に、図２７に示すフローチャートを参照して、ダイジェスト動画選択機能について説明する。
【０１３２】
図２７では、まずダイジェスト生成ボタンがクリックされたことを検知すると（ステップＳ２７１）、１つ以上の分割動画のチェックボックスにチェックマークが付いているか否かを判定する（ステップＳ２７３）。この判定の結果、１つ以上の分割動画のチェックボックスにチェックマークが付いていない場合には、「動画を選んでください」というメッセージをクライアント端末３に表示すべく出力して本処理を終了するが、１つ以上の分割動画のチェックボックスにチェックマークが付いている場合には、一覧表示されている複数の分割動画のすべてを評価したか否かを判定し（ステップＳ２７７）、全ての分割動画を評価していない場合には、分割動画を１つ取り出し（ステップＳ２７９）、この取り出した分割動画にチェックマークが付いているか否かを判定する（ステップＳ２８１）。この判定の結果、この取り出した分割動画にチェックマークが付いていない場合には、ステップＳ２７７に戻り、同じ処理を繰り返すが、チェックマークが付いている場合には、この分割動画の情報から分割動画名、番号を取り出し、パラメータのリストを作成し（ステップＳ２８３）、ステップＳ２７７に戻り、同じ処理を繰り返す。
【０１３３】
上記ステップＳ２７７の判定の結果、全ての分割動画を評価した場合には、飛び先記号Ｇにより図２８のステップＳ２８５に進み、ダイジェスト動画名を生成する。それから、分割動画名、ダイジェスト動画名、パラメータのリストを引数として動画結合実行ファイルを実行してダイジェスト動画を生成する（ステップＳ２８７）。そして、この動画結合実行ファイルが生成したダイジェスト動画を関係付け定義ファイルデータベース１３９にコピー、すなわち登録し（ステップＳ２８９）、またこのダイジェスト動画を表示するＨＴＭＬ文を生成し、インターネット５を介してクライアント端末３のブラウザに送信し（ステップＳ２９１）、これにより例えば図２４で符号４０で示すように表示する。
【０１３４】
上記各実施形態では、種々の操作を実行するために、例えばマウスの右クリック、左クリック、マウス押下により把握およびドラッグなどのような所定のマウス操作を行うようにしているが、本発明は、上述した説明におけるマウス操作に限られるものでなく、予めシステム毎に定めた任意のマウス操作で種々の操作を行うようにすることができるものである。
【０１３５】
なお、上記実施形態の動画処理方法の処理手順をプログラムとして例えばＣＤやＦＤなどの記録媒体に記録して、この記録媒体をコンピュータシステムに組み込んだり、または記録媒体に記録されたプログラムを通信回線を介してコンピュータシステムにダウンロードしたり、または記録媒体からインストールし、該プログラムでコンピュータシステムを作動させることにより、動画処理方法を実施する動画処理装置として機能させることができることは勿論であり、このような記録媒体を用いることにより、その流通性を高めることができるものである。
【図面の簡単な説明】
【０１３６】
【図１】本発明の一実施形態に係わる動画処理方法を実施する動画処理装置を含む動画処理システムの構成を示すブロック図である。
【図２】図１に示す実施形態の動画処理システムの構成を示すブロック図である。
【図３】図１に示す実施形態の動画処理システムの作用においてクライアント端末にユーザ認証用の確認手順を表示した画面を示す図である。
【図４】図１に示す実施形態の動画処理システムの作用においてクライアント端末にユーザ認証結果としてユーザが正当である場合に表示される画面を示す図である。
【図５】図１に示す実施形態の動画処理システムにおいて複数の分割動画から任意の分割動画同士を結合する操作を示す画面を示す図である。
【図６】図１に示す実施形態の動画処理システムにおいて複数の分割動画から任意の離れた分割動画同士を結合する操作を示す画面を示す図である。
【図７】図１に示す実施形態の動画処理システムにおいて複数の分割動画から任意の分割動画同士を結合する操作において両分割動画を結合してもよいかのガイダンスを示すクライアント端末の画面を示す図である。
【図８】図１に示す実施形態の動画処理システムにおいて複数の分割動画から任意の分割動画同士を結合した結果の画面を示す図である。
【図９】図１に示す実施形態の動画処理システムにおいて分割動画同士の結合処理を示すフローチャートである。
【図１０】本発明の他の実施形態に係わる動画処理方法の分割動画の再分割処理を示す説明図である。
【図１１】図１０に示す実施形態における分割動画再分割画面を示す図である。
【図１２】図１１に示す分割動画再分割画面において区切りバーをスライダバー上で移動させた場合の例を示す図である。
【図１３】図１１に示す分割動画再分割画面においてスライダバー上に別の区切りバーを設定した場合の例を示す図である。
【図１４】図１０に示す実施形態の分割動画の再分割処理で再分割した複数の分割動画を元の複数の分割動画内に挿入して複数の分割動画を再構成した例を示す図である。
【図１５】図１３に示した分割動画再分割画面で分割動画の再生時間長を４秒とした場合の各分割動画の再生時間を示す図である。
【図１６】図１０に示す実施形態の作用の一部を示すフローチャートである。
【図１７】図１０に示す実施形態の作用の図１６に続く一部を示すフローチャートである。
【図１８】図１０に示す実施形態の作用の図１７に続く一部を示すフローチャートでおる。
【図１９】図１０に示す実施形態の作用である区切りバー上のマウスダウンを検知する作用の一部を示すフローチャートである。
【図２０】図１０に示す実施形態の作用であるスライダバー上のダブルクリックを検知する作用の一部を示すフローチャートである。
【図２１】本発明の更に他の実施形態に係わる動画処理システムにおけるダイジェスト動画生成処理において複数の分割動画の表示されたクライアント端末の画面を示す図である。
【図２２】図２１に示す実施形態のダイジェスト動画生成処理において複数の分割動画のチェックボックスにチェックマークが設定された状態を示すクライアント端末の１図面である。
【図２３】図２１に示す実施形態のダイジェスト動画生成処理において複数の分割動画のチェックボックスにチェックマークが設定された後、ダイジェスト動画生成処理を実行させるためにマウスデータリックされるダイジェスト生成ボタンを示す図である。
【図２４】図２１に示す実施形態のダイジェスト動画生成処理においてチェックマークの設定された分割動画を統合して生成されたダイジェスト動画が表示されたクライアント端末の画面を示す図である。
【図２５】図２１に示す実施形態においてダイジェスト動画選択機能を説明するための図である。
【図２６】図２１に示す実施形態においてダイジェスト生成、表示、保存機能を説明するための図である。
【図２７】図２１に示す実施形権１においてダイジェスト動画選択機能の処理手煩の一部を示すアローチャートである。
【図２８】図２１に示す実施形態においてダイジェスト動画選択機能の処理手順の図２７に続く残りの一部を示すフローチャートである。
【図２９】従来の検索インデックス付与システムにおいて複数の分割動画が表示されたクライアント端末の画面を示す図である。
【図３０】従来のフィルムストリップ式のイメージ画面を示す図である。
【図３１】従来のストーリーボード式の図面イメージを示す図である。
【符号の説明】
【０１３７】
１…動画処理システム
３…クライアント端末
５…インターネット
１１…動画編集サーバ
１３…アプリケーションサーバ
１５…ストリームサーバ
３１…テキストコンテンツ選択部
３４…動画結合・分割・ダイジェスト動画生成機能部
３５…元動画選択部
３８…ダイジェスト生成ボタン
１１３…動画分割機能部
１１７…動画インデックスデータベース
１２０…ダイジェスト動画データベース
１３１…テキストコンテンツ生成機能部
１５１…サムネイル表示機能部
１３４…関係付け情報記録機能部
１３８…ダイジェスト生成、表示、保存機能部
１３９…関係付け定義ファイルデータベース
【図１】
2005086218.tif 000003
【図２】
2005086218.tif 000004
【図３】
2005086218.tif 000005
【図４】
2005086218.tif 000006
【図５】
2005086218.tif 000007
【図６】
2005086218.tif 000008
【図７】
2005086218.tif 000009
【図８】
2005086218.tif 000010
【図９】
2005086218.tif 000011
【図１０】
2005086218.tif 000012
【図１１】
2005086218.tif 000013
【図１２】
2005086218.tif 000014
【図１３】
2005086218.tif 000015
【図１４】
2005086218.tif 000016
【図１５】
2005086218.tif 000017
【図１６】
2005086218.tif 000018
【図１７】
2005086218.tif 000019
【図１８】
2005086218.tif 000020
【図１９】
2005086218.tif 000021
【図２０】
2005086218.tif 000022
【図２１】
2005086218.tif 000023
【図２２】
2005086218.tif 000024
【図２３】
2005086218.tif 000025
【図２４】
2005086218.tif 000026
【図２５】
2005086218.tif 000027
【図２６】
2005086218.tif 000028
【図２７】
2005086218.tif 000029
【図２８】
2005086218.tif 000030
【図２９】
2005086218.tif 000031
【図３０】
2005086218.tif 000032
【図３１】
2005086218.tif 000033